(57)【要約】  閲覧履歴を記録および表示するウェブブラウザ。各ウェブページについて、ウェブページのサムネイル画像およびウェブページと関連付けられたグループが記録される。グループは第１の軸に沿って表示され、そのグループと関連付けられた各ページのサムネイル画像は、第２の直交軸に沿って表示可能である。【選択図】  図６
2016520936.tif 000002
【特許請求の範囲】
【請求項１】
コンピュータのウェブブラウザの閲覧履歴を表示するための方法であって、
前記コンピュータによって、ページのサムネイル画像および前記ページと関連付けられたグループを含む前記ブラウザによってブラウズされる各ウェブページに関する履歴情報を記録することと、
前記コンピュータによって、ユーザ要求に応答して、第１の軸に沿って１つまたはより多くのグループを有する２次元閲覧履歴を表示することと、各グループは、そのグループと関連付けられた各ブラウズされたウェブページのサムネイル画像を、前記グループに隣接して、表示するために第２の直交軸に沿って拡張可能である、
を備える、方法。
【請求項２】
前記ブラウズされたウェブページの少なくとも１つのＵＲＩは、前記ブラウズされたウェブページの別のものとは異なるトップレベルドメインを有する、請求項１に記載の方法。
【請求項３】
前記表示されたウェブページの１つの前記サムネイル画像を選択することと、
前記選択することに応答して前記選択されたウェブページに導く閲覧経路を表示することと、
を備える、請求項１に記載の方法。
【請求項４】
前記グループは、前記グループと関連付けられた最も最近ブラウズされたウェブページが前記ウェブブラウザによってブラウズされた時間の順序で前記第１の軸に沿って整列される、請求項１に記載の方法。
【請求項５】
前記サムネイル画像は、前記サムネイル画像に対応する前記ウェブページが前記ウェブブラウザによってブラウズされた時間の順序で前記第２の軸に沿って整列される、請求項１に記載の方法。
【請求項６】
前記第２の軸は時間を表し、
各サムネイル画像は、前記サムネイル画像に対応する前記ウェブページが前記ウェブブラウザによってブラウズされた時間で前記第２の軸に沿って位置付けられる、
請求項１に記載の方法。
【請求項７】
前記サムネイル画像は、前記第２の軸に沿って直線的に配置され、各サムネイル画像は、前記ブラウザによる前記関連付けられたウェブページの別個のアクセスに対応する、請求項１に記載の方法。
【請求項８】
前記サムネイル画像は、前記グループに関連付けられた任意のウェブページの前記サムネイル画像が前記ブラウザによる前記ウェブページの別個のアクセスの数にかかわらず一度表示されるように、前記第２の軸に沿ってツリー構造で配置される、請求項１に記載の方法。
【請求項９】
選択されたウェブページへの閲覧経路を表示することを備え、前記経路は前記経路の各ウェブページへの各別個のアクセスのためのセグメントを含む、請求項８に記載の方法。
【請求項１０】
選択されたウェブページへの閲覧経路を表示することを備え、前記経路は前記選択されたウェブページの前記ツリー構造における先祖以外のセグメントを省略する、請求項８に記載の方法。
【請求項１１】
ブラウザによってブラウズされたウェブページのシーケンスの各々について、前記ページのサムネイル画像および前記ページが関連付けられたグループを含む履歴データを、データ記憶に保存するように構成された履歴レコーダと、
入力に応答して、第１の軸に沿う少なくとも１つのグループおよび第２の直交軸に沿ってそのグループと関連付けられた各ページの前記サムネイル画像を表示するように構成された履歴マネジャと、
を含むウェブブラウザを有するコントローラ、
を備えるウェブ閲覧装置。
【請求項１２】
表示されたサムネイル画像は、別のサムネイル画像が表示される別のウェブページの前記ＵＲＩとは異なるトップレベルドメインを有するＵＲＩを有するウェブページに対応する、請求項１１に記載の装置。
【請求項１３】
前記コントローラは、前記表示されたウェブページの１つの前記サムネイル画像の選択を受信するようにさらに構成され、
前記履歴マネジャは、前記選択に応答して、前記選択されたウェブページに導く閲覧経路を表示するようにさらに構成され、前記経路は、前記選択されたウェブページに到達するために前記ブラウザによってトラバースされたウェブページの前記シーケンスを備える、
請求項１１に記載の装置。
【請求項１４】
前記表示された閲覧経路は、
前記閲覧経路における前記ウェブページの各々の前記サムネイル画像間の視覚的接続
をさらに備える、請求項１３に記載の方法。
【請求項１５】
前記履歴マネジャは、前記選択に応答して、前記閲覧経路に含まれていない各表示されたウェブページの前記サムネイル画像を視覚的にデエンファシスするようにさらに構成される、請求項１３に記載の方法。
【請求項１６】
実行可能なプログラムを記憶した非一時的なコンピュータ可読記憶媒体であって、ここにおいて、前記プログラムは、
ウェブページがウェブブラウザによってアクセスされると、前記ページのサムネイル画像、および前記ページが関連付けられたグループを含む履歴データを記録し、
第１の軸に沿って少なくとも１つのグループおよび第２の直交軸に沿ってそのグループと関連付けられた各ページの前記サムネイル画像を表示するような要求に際して前記履歴データを処理する、
ようにプロセッサに命令する、
非一時的なコンピュータ可読記憶媒体。
【請求項１７】
所与のウェブページに関する前記履歴データは、
前記ウェブページのＵＲＩ、
前記所与のウェブページの直前の前記ウェブブラウザによってブラウズされた先行するウェブページ、
前記所与のウェブページの直後に前記ウェブブラウザによってブラウズされた後続のウェブページ、
に前記ウェブページがブラウズされた日付および時間、
をさらに備える、請求項１６に記載の媒体。
【請求項１８】
前記プログラムは、
前記表示されたウェブページの１つの前記サムネイル画像の選択を受信し、
前記選択に応答して、前記選択されたウェブページにブラウズするように前記プロセッサにさらに命令する、請求項１６に記載の媒体。
【請求項１９】
各グループは、前記ウェブブラウザの異なるウィンドウまたは前記ウェブブラウザの異なるタブに対応する、請求項１６に記載の媒体。
【請求項２０】
各グループは、異なるトップレベルドメインに対応する、請求項１６に記載の媒体。
【発明の詳細な説明】
【背景技術】
【０００１】
[0001]  ワールドワイドウェブは、ビジネスおよび個人の活動の広く普及した要素（ubiquitous part）となった。世界中の多くの人々およびエンティティがウェブサイトを保持している。各ウェブサイトは典型的に、そのサイトについてしばしば非常に多くの、ウェブサイトのセットを含む。ユーザがウェブ上で利用可能なウェブページのこの富（wealth）にアクセスすることを可能にするウェブブラウザは、パーソナルコンピュータ、ラップトップおよびノートブックコンピュータ、タブレットコンピュータ、およびセルラー電話を含む幅広いコンピュータ、アプライアンス、およびデバイスで実現される。ウェブブラウザによってユーザは１つのサイトまたはページから別のものにナビゲート（すなわち、「アクセス」、「訪問」、または「ブラウズ」）することができる。これは、ウェブページのユニバーサルリソースインジケータ（「ＵＲＩ」）を特定すること、またはブラウザに別のウェブページにナビゲートさせる１つのウェブページ上でハイパーリンク（「リンク」）を選択することを含む、多くの異なる方法でなされることができる。新しくアクセスされたウェブページは、ブラウザの現在のウィンドウまたはタブでウェブページを置き換えることができる、または新しいウィンドウまたはタブで開かれることができる。
【図面の簡単な説明】
【０００２】
【図１】[0002]  図１は、本開示の例にしたがうコントローラおよびウェブブラウザを含む装置の概略ブロック図表現である。
【図２】[0003]  図２は、本開示の例にしたがう図１のコントローラの概略ブロック図表現である。
【図３】[0004]  図３は、本開示の例にしたがう図１または図２のコントローラによって記録された履歴データの概略表現である。
【図４】[0005]  図４は、本開示の例にしたがってサムネイル画像の単一の展開された（expanded）グループを有する例示的な２次元閲覧履歴表示の概略表現である。
【図５】[0006]  図５は、本開示の例にしたがってサムネイル画像の複数の展開されたグループを有する別の例示的な２次元閲覧履歴表示の概略表現である。
【図６】[0007]  図６は、本開示の例にしたがって選択されたウェブページへの閲覧経路が表示される図５の例示的な閲覧履歴表示の概略表現である。
【図７】[0008]  図７は、本開示の例にしたがって閲覧経路が折りたたまれた（collapsed）グループを含む、図６の例示的な閲覧履歴表示の概略表現である。
【図８】[0009]  図８は、本開示の例にしたがってサムネイルに対応するウェブページがブラウズされた日付および時間にしたがってタイムスケールされた軸に沿ってサムネイル画像が位置付けられた図５の例示的な閲覧履歴表示の概略表現である。
【図９】[0010]  図９は、本開示の例にしたがって選択されたウェブページへの閲覧経路が表示される図８の例示的な閲覧履歴表示の概略表現である。
【図１０】[0011]  図１０は、本開示の例にしたがってグループに関する閲覧履歴がツリー構造で表示される例示的な閲覧履歴表示の概略表現である。
【図１１】[0012]  図１１は、本開示の例にしたがってグループに関する閲覧履歴がツリー構造で表示される別の例示的な閲覧履歴表示の概略表現である。
【図１２】[0013]  図１２は、本開示の例にしたがって各閲覧ステップを示す選択されたウェブページへの閲覧経路が表示される図１０または１１の例示的な閲覧履歴表示の概略表現である。
【図１３】[0014]  図１３は、本開示の例にしたがって、先祖のウェブページ（ancestor web page）を示す選択されたウェブページへの閲覧経路が表示される図１０または１１の例示的な閲覧履歴表示の概略表現である。
【図１４】[0015]  図１４は、図１または２のコントローラの本開示の例、またはコントローラで実現される方法にしたがうフローチャートである。
【図１５】[0016]  図１５は、図１４の表示オペレーションの本開示の例にしたがう下位レベルのフローチャートである。
【詳細な説明】
【０００３】
[0017]  背景技術の項目で述べられたように、ウェブブラウザは、単一のウェブサイト内でまたは異なるウェブサイトにわたって、ウェブページからウェブページに連続的にナビゲートまたはブラウズすることができる。ユーザは、対象の特定の１つに到達する前に多数のウェブサイトにわたってブラウズし得る。時にこれは、サイトのトップレベル（「ルーツ」）ページから始め、サイトの下位レベルで所望のページに達するために複数のステップにわたって掘り下げることを含む。またある時には、所望のウェブページに到達するために、例えば様々なウェブページ上のリンクを介して、ウェブサイトからウェブサイトにナビゲートすることを含み得る。ある未来時に、ユーザは特定のウェブページに導いた閲覧ステップのシーケンスを再構築するように所望し得る。各閲覧ステップをそれが取られた通りに書きとめることは、冗長で時間がかかり、これを行うユーザはほとんどいない。このステップは、記憶するには複雑すぎることがあり、またはより遠い未来時には呼び戻されることができないこともある。
【０００４】
[0018]  これを認識して、いくつかのブラウザは、呼び出すと、異なる時間期間の間にユーザによって見られたウェブページのリストを示す閲覧履歴機能を含む。ブラウザは典型的に、何時にどのウェブページが開かれたかまたは訪れられたかを特定する時間順の線形リストでユーザによって見られるウェブページについての情報を記録する。このリストは、例えば日または週によって整列され得る。しかしながら、多くの状況でこの能力は不十分であり得る。例えば、ユーザはしばしば同時に多数のウェブページにアクセスするために複数のウィンドウおよび／またはタブを使用する。しかしながら、このような閲覧履歴機能は、ユーザがどのようにウィンドウまたはタブ基準でウェブページからウェブページに移動するかを体系化する方法を提供しない。これは、特定のウェブサイトに達するためにユーザによって取られる経路を再構築することを難しくまたは不可能にする。
【０００５】
[0019]  他のケースでは、前および後への閲覧ボタンは、ブラウザによって実現され得る。これらのボタンは、ユーザが所与のページから前または後へ時間内に移動することを可能にする。しかしながら、これらの閲覧ボタンの前または後への移動と関連付けられた、またはそれによって示される時間は典型的にない。さらに、ボタンのコンテンツは典型的に、ユーザが現在インタラクトしている現在のブラウザウィンドウまたはタブに限定される。このように、これはユーザによって実行されるクロスタブまたはクロスウィンドウナビゲーションシーケンスを担う（account for）ことができない。
【０００６】
[0020]  図面を参照すると、ウェブブラウザのための閲覧履歴に関する本開示にしたがって構成された装置、方法、およびコンピュータ読取可能な記憶媒体の図示された例がある。各ウェブサイトは、ブラウザによってブラウズされ、ウェブサイトのサムネイル画像およびウェブサイトと関連付けられたグループを含む履歴情報が記録される。履歴情報を見るためのユーザ要求の際、履歴情報は、その後１つの軸（アクシス、axis）に沿って配置されたグループおよび直交軸に沿って配置された各グループと関連付けられたサムネイルを有する２次元形式で表示される。
【０００７】
[0021]  ウェブブラウザを含む装置を考慮し、図１を参照すると、装置１０はウェブブラウザ２２を含むコントローラ２０を含む。ウェブブラウザ２２は、ブラウザによってブラウズされたウェブページ４０のシーケンスの各々についてデータ記憶３０で保存するように構成される履歴レコーダ２４を含み、履歴データ（履歴情報）３２は、ページのサムネイル画像およびページが関連付けられているグループを含む。ウェブブラウザ２２はまた、コントローラ２０によって受信された入力１２に応答して、第１の軸に沿って少なくとも１つのグループを、および第１の軸に直交する第２の軸に沿ってそのグループと関連付けられた各ウェブページ４０のサムネイル画像を表示ユニット１４上で表示するように、保存された履歴データ３２を処理するように構成された履歴マネジャ２６を含む。表示ユニット１４は、装置１０の一部として図示されているが、別の例では表示は装置１０の外部にあり得、装置１０と通信可能に結合され得る。
【０００８】
[0022]  いくつかの例において、コントローラ２０はさらに、表示されたウェブページ４０のうちの１つのサムネイル画像の選択を、入力１２を介して、受信するようにも構成される。履歴マネジャ２６は、この選択に応答して、選択されたウェブページ４０に導く閲覧経路を表示するようにさらに構成される。閲覧経路は、選択されたウェブページ４０に到達するためにウェブブラウザ２２によってトラバース（行き来、travers）されたウェブページ４０のシーケンスを強調表示する。
【０００９】
[0023]  軸、グループ、サムネイル、および閲覧経路を含む、履歴マネジャ２６が表示１４上で作る表示は、図４−１２に関してより詳細に後に説明される。
【００１０】
[0024]  コントローラ２０は、ハードウェア、ファームウェア、ソフトウェア、またはこれらの組み合わせで実現され得る。いくつかの例において、図２に関連して理解され得るように、コントローラ２０は、メモリ２９といったコンピュータ可読記憶媒体に通信可能に結合されたプロセッサ２８を含み得る。メモリ２９は、プロセッサ２８によって実行されるとき、コントローラ２０、履歴レコーダ２４、および／または履歴マネジャ２６のうちのオペレーションの少なくともいくつかを実行する、命令の１つまたはより多くの実行可能なプログラムを記憶し得る。
【００１１】
[0025]  ブラウズされたウェブページ４０に関してデータ記憶３０に保存された履歴データ３２をより詳細に考慮し、図３を参照すると、履歴データ３２は、ブラウズされたウェブページ４０のためのサムネイル画像３３およびウェブページ４０が関連付けられたグループ３４を含む。いくつかの例において、履歴データ３２は、ブラウズされたウェブページ４０のユニバーサルリソースインジケータ（「ＵＲＩ」）３５、ウェブページ４０のブラウジングが行われた日付および時間３６、履歴データ３２に対応するウェブページ４０の直前にウェブブラウザ２２によってブラウズまたはアクセスされた先行するウェブページ３７、および履歴データ３２に対応するウェブページ４０の直後にウェブブラウザ２２によってブラウズまたはアクセスされた後続のウェブページ３８をさらに含む。履歴データ３２が最新のブラウズされたウェブページに対応する場合、後続のウェブページ４０は、ヌルであり得る。データ記憶３０において、各履歴データ要素３２は、個別のフィールド３４−３８を有するデータ構造であり得る。先行するウェブページ３７および後続のウェブページ３８フィールドは、先行するウェブページ３７および後続のウェブページ３８に対応する他の履歴データ要素３２へのポインタであり得る。このように、履歴要素３２のセットは、データ構造の二重連結リスト（doubly-linked list）を構成し得る。
【００１２】
[0026]  第１の例示的な２次元閲覧履歴表示５０を考慮し、図４を参照すると、ブラウズされたウェブページのグループ５４が第１の軸５２に沿って整列されている。７つの例示的なグループ（グループ１〜グループ７）が図示され、グループ５４の最初の３つはグループ５４Ａ−Ｃとして示される。いくつかの例において、各グループは、ウェブブラウザ２２の異なるウィンドウ、またはウェブブラウザ２２の異なるタブに対応する。特定のグループに関連付けられた全てのブラウズされたウェブページは、対応するブラウザウィンドウまたはブラウザタブからブラウズされた。
【００１３】
[0027]  いくつかの例において、各グループ５４は、ブラウズされたウェブページのＵＲＩの異なるトップレベルドメイン、または言い換えると、異なるウェブサイトに対応する。  例えば、グループ１は、ウェブページ「www.site1.com/page1」および「www.site1.com/page2」といった、「site1.com」のトップレベルドメインを有するウェブページに対応し得る。
【００１４】
[0028]  グループ５４は、典型的に上から下に降順の時間順序で第１の軸５２に沿って整列されている。いくつかの例において、グループの時間順序は、各グループと関連付けられた最も最近（most recently）アクセスされたウェブページのアクセスの日付および時間によって決定されている。例えば、グループ１ ５４Ａと関連付けられた最も最近アクセスされたウェブページは、グループ２ ５４Ｂと関連付けられたいずれのウェブページよりも最近アクセスされ、グループ２ ５４Ｂと関連付けられた最も最近アクセスされたウェブページは、グループ３ ５４Ｃと関連付けられたいずれのウェブページよりも最近アクセスされ、残りのグループについても同様である。いくつかの例において、各グループがブラウザウィンドウまたはタブを表す場合、全ての現在開いているウィンドウまたはタブは、任意の閉じられた（すなわち、もう開いていない）ウィンドウまたはタブの前に第１の軸５２に沿って整列され得る。
【００１５】
[0029]  いくつかの例において、タイムスケールは、第１の軸５２に適用され（indicated for）得る。いくつかの例において、タイムスケールは、「今日」、「昨日」、「２日前」等といった、時間および日付セパレータの挿入であり得る。セパレータは、より大きい粒度（more granular）（例えば、週、月、年、等による）、またはより小さい粒度（less granular）（例えば、時間、分等による）あり得る。
【００１６】
[0030]  いくつかの他の例において、グループ５４は、例えば、グループ名でアルファベット順に、または他のスキームにしたがって、時間順序以外で第１の軸５２に沿って配列され得る。
【００１７】
[0031]  多くのケースでは、一度に表示され得るよりもより多くのグループが存在し得るため、スクロール／スライダーバー５６またはいくつかの類似したメカニズムが、グループを上および下にスクロールまたはページングするために使用され得る。
【００１８】
[0032]  各グループは、展開（expand）／折りたたみ（collapse）ボタン５５を含む。ボタンは、２つの状態をとる（assume）ことができる。ボタン５５における「＋」サインによって示される、折りたたまれた状態では、グループと関連付けられたブラウズされたウェブページは示されない。「＋」サインは、グループがボタンを選択することによって展開され得ることを示す。展開された状態は、ボタン５５における「−」サインによって示されている。「−」サインは、グループがボタン５５を選択することによって折りたたまれ得ることを示す。
【００１９】
[0033]  展開された状態では、グループと関連付けられたブラウズされたウェブページが示されている。例えば、グループ２のためのボタン５５は「−」サインを有し、グループ２と関連付けられた７つのブラウズされたウェブページのサムネイル画像５８が図示されている。サムネイル画像５８は、第１の軸５２と直交する第２の軸５３に沿って整列されている。
【００２０】
[0034]  各サムネイル画像は、ブラウズされたウェブページのより小さな描写である。典型的にウェブページのビットマップが取られ、履歴データ３２のサムネイル画像３４として記録される。いくつかの例において、スクリーンショットが、記憶のためにより小さなサイズにそれを縮めるために適切に画像処理される。
【００２１】
[0035]  サムネイル画像５８は典型的に、左から右に降順の時間順序で第２の軸５３に沿って整列される。いくつかの例において、画像の時間順序は、特定のグループと関連付けられた様々なウェブページのアクセスの日付および時間によって決定され得る。例えば、サム９に対応するウェブページは、サム８に対応するウェブページよりも最近アクセスされ、サム８に対応するウェブページは、サム７に対応するウェブページよりも最近アクセスされ、サムネイル画像５８の残りについても同様である。
【００２２】
[0036]  多くのケースでは、一度に表示され得るよりも多くの、グループと関連付けられたサムネイル画像５８が存在し得るため、スクロール／スライダーバー５７、またはいくつかの類似したメカニズムは、現在表示されているグループの全てについて左および右にサムネイル画像をスクロールまたはページングするために使用され得る。
【００２３】
[0037]  あるいはまたはさらに、「次  ＭのＮ」ボタン５９は、適応可能な各展開されたグループと関連付けられ得る。５ボタン５９の値Ｍは、グループと関連付けられた残りのサムネイル画像５８の数を示す一方で、値Ｎは、ボタン５９が選択された場合表示され得るそれらの残りのサムネイル画像５８の数を示す。
【００２４】
[0038]  図示されていないが、グループと関連付けられたウェブページの数および現在表示されているサムネイル画像５８の数に基づいて適切なように、「前  ＭのＮ」ボタンも、「次  ＭのＮ」の代わりに、またはそれに加えて、表示され得ることが理解されるべきである。例えば、ボタン５９が選択されるときを想定すると、表示されるサムネイル画像５８のセットはサム７〜サム１を表す。このケースにおいて、「次  ＭのＮ」ボタンはないが、ユーザがサム９およびサム８を見るためにそれを再度使用することができるように、「前  ２の２」ボタンが示され得る。各展開されたグループは、互いに独立して動作する「次  ＭのＮ」および「前  ＭのＮ」ボタンを有し得る。言い換えると、一度に各グループについて表示されるサムネイル画像５８は、他のグループと独立して決定されることができる。
【００２５】
[0039]  図４の例示的な表示において、各グループのためのサムネイル画像５８は、直線的に表示される。さらに、ウェブページへの各訪問は、ウェブページが以前訪問されていたとしても、それ自体のサムネイル画像が与えられる。例えば、ユーザがウェブページＡからウェブページＢ、そしてウェブページＡに戻ってブラウズすることを想定する。サム５がウェブページＡの第１のアクセスに対応する場合、サム６はウェブページＢのアクセスに対応し、サム７はウェブページＡの第２のアクセスに対応する。図１０−１３に関連して後に説明されるように、各グループのためのサムネイル画像５８は、代替的にツリー構造で表示され得る。
【００２６】
[0040]  図４の例示的な表示において、第２の軸５３はタイムスケールを有さず、サムネイル画像５８は、左から右に一定の間隔でスペースが取られている。したがって、サムネイル画像５８の表示上の位置付けは、特定のサムネイル画像５８に対応するウェブページがブラウズされた日付および時間についての情報を提供しない。いくつかの例において、データおよびタイムスタンプ（示されていない）は、ブラウジングの時間を示すために各サムネイル画像５８に隣接して表示され得る。
【００２７】
[0041]  サムネイル画像５８が特定のサイズで図示されてきた一方で、いくつかの例においてズーム制御（示されていない）は、表示されたサムネイルサイズを制御するために使用され得る。これは、より多くのより小さなサイズのサムネイル、またはより少ないより大きなサイズのサムネイルが表示されることを可能にする。サムネイル画像を表示するために使用される第１の軸５２に沿うスペースの量は拡大または縮小するため、ズーム制御は、いかなる時も表示される多数のグループに対して対応する影響を有し得る。
【００２８】
[0042]  さらに、グループが第１の軸５２に沿って、およびサムネイル画像５８が第２の軸に沿って整列されてきた一方で、この配置は他の例では入れ替えられることができる。
【００２９】
[0043]  閲覧履歴表示でサムネイル画像５８として示されるウェブページ４０は、例えばサムネイル画像５８をダブルクリックすることによって、サムネイル画像５８を選択することによってアクセスまたはブラウズされることができる。閲覧履歴表示は終了され、ウェブページ４０は通常の方式でウェブブラウザ２０によってアクセスされ得る。
【００３０】
[0044]  図４の閲覧履歴表示５０の追加のグループの展開を考慮し、図５を参照すると、閲覧履歴表示６０においてサムネイル画像５８が、グループ２ ５４Ｂに加えて、グループ１ ５４Ａおよびグループ３ ５４Ｃのために表示される。グループ１および３のための展開／折りたたみボタン５５は、ボタン５５における「−」サインによって示されるようにグループ１および３の展開された状態を図示する。
【００３１】
[0045]  どの個別のグループ５４についても、第２の軸５３に沿うサムネイル画像５８の順序は、サムネイル画像５８に対応するウェブページ４０がブラウズされた時間順序を示す。しかしながら、閲覧履歴表示６０は、特定のウェブページ４０がアクセスされた閲覧経路を識別しない。グループがウェブサイト（例えば、トップレベルドメイン）に対応する場合、閲覧経路は典型的にしばしば異なるグループを交差する（クロス、cross）。グループがブラウザウィンドウまたはタブに対応する場合、閲覧経路は、１つのウィンドウで選択されたリンクが別のウィンドウで開いている場合グループを交差し得る。
【００３２】
[0046]  選択されたウェブページへの閲覧経路が示される例示的な２次元閲覧履歴表示７０を考慮し、図６を参照すると、カーソル７２は選択されるべきウェブページに対応するサムネイル画像サム６ ７４を指す。いくつかの例において、閲覧経路が表示されるべきウェブページは、選択されるべきウェブページに対応するサムネイル画像に、カーソル７２を指すことによって、またはそれにわたってカーソルをホバリングする（hovering）ことによって選択される。
【００３３】
[0047]  ウェブページに対応するサムネイル画像７４が選択されるとき、セグメント（線分、segment）７６Ａ−Ｆを有する経路７６が表示される。経路７６は、サムネイル画像７４に対応するウェブページに導いた閲覧経路をユーザに視覚的に描写する。セグメント７６Ａは、グループ３のサムネイル画像サム６に対応するウェブページが、グループ３のサムネイル画像サム５に対応するウェブページからブラウズされたことを図示する。セグメント７６Ｂは、グループ３のサムネイル画像サム５に対応するウェブページが、グループ１のサムネイル画像サム３に対応するウェブページからブラウズされたことを図示する。セグメント７６Ｃは、グループ１のサムネイル画像サム３に対応するウェブページが、グループ１のサムネイル画像サム２に対応するウェブページからブラウズされたことを図示する。セグメント７６Ｄは、グループ１のサムネイル画像サム２に対応するウェブページが、グループ１のサムネイル画像サム１に対応するウェブページからブラウズされたことを図示する。セグメント７６Ｅは、グループ１のサムネイル画像サム１に対応するウェブページが、グループ２のサムネイル画像サム４に対応するウェブページからブラウズされたことを図示する。セグメント７６Ｅは、グループ２のサムネイル画像サム４に対応するウェブページが、グループ２のサムネイル画像サム３に対応するウェブページからブラウズされたことを図示する。
【００３４】
[0048]  選択されたウェブページに到達するために取られた閲覧経路を表示することによって、グループ間の関係が理解されることができる。例えば、各グループは異なる閲覧ウィンドウまたはタブに対応すると想定する。この状況において、グループ２のサム４に対応するウェブページにおけるリンクがユーザによって選択され、グループ１の新しいタブまたはウィンドウで開かれることは経路セグメント７６Ｅから容易に明らかである。別の例では、各グループは異なるウェブサイト（すなわち、異なるトップレベルドメイン）に対応すると想定する。この状況において、グループ２に対応するウェブサイトのサム４に対応するウェブページから、ユーザがグループ１に対応する異なるウェブサイト（すなわち、異なるトップレベルドメイン）にナビゲートされたことは経路セグメント７６Ｅから容易に明らかである。例えば、グループ２サム４のウェブページ「http://www.site2.com/page4.html」から、ユーザはグループ１サム１の「http://www.site1.com/page1.html」にナビゲートされる。
【００３５】
[0049]  いくつかの例において、表示されるべきウェブページが選択されるとき、選択されたウェブページに導く閲覧経路内にないそれらのウェブページに対応するそれらのサムネイル画像は、経路７６から省略される。この省略は、どの経路セグメントにも接続されていないサムネイル画像によって描写され得る。この省略は、閲覧経路に含まれているサムネイル画像に関連する視覚的にデエンファシスされた（deemphasized、強調されなかった）サムネイル画像によって代替的にまたは追加的に描写され得る。視覚的なデエンファシスは、サムネイルをグレーアウトすることによって、サムネイルをフェージングすることによって、または他の方式で、図示され得る。
【００３６】
[0050]  いくつかの状況において、閲覧経路は折りたたまれた状態で現在表示されているグループのウェブページを含み得る。いくつかの例において、閲覧経路の選択は、これらのグループのウェブページを示すためにこのようなグループの状態を展開された状態に自動的に変え得る。本明細書でおよび添付の特許請求の範囲で定義されたように、「自動化された（automated）」または「自動的に（automatically）」（およびこれらの類似したバリエーション）という用語は、人間の介入、観察、努力および／または決定の必要性なく、装置、システム、および／またはコンピュータおよび／または機械的な／電気的なデバイスを使用するプロセスの制御されたオペレーションを意味することが広く理解されるべきである。
【００３７】
[0051]  他の例では、閲覧経路の１つまたはより多くのセグメントが、折りたたまれたグループに接続され得る。これは、閲覧履歴表示８０におけるグループ１が展開された状態でなく、折りたたまれた状態にあることを除き、閲覧履歴表示８０が図６の閲覧履歴７０と同一である、図７に関連して理解されることができる。グループ３サム５は、グループ１サム３からブラウズされた。しかしながら、グループ１は折りたたまれた状態であるため、経路セグメント８６Ｂはグループ３サム５をグループ１に接続する。同様に、グループ１サム１は、グループ２サム４からブラウズされるため、経路セグメント８６Ｃはグループ１をグループ２、サム４に接続する。経路セグメント８６Ａは経路セグメント７６Ａに対応し、経路セグメント８６Ｄは経路セグメント７６Ｆに対応する。
【００３８】
[0052]  図４−７は、それとまたは第２の軸５３に沿うサムネイル画像５８の配置と関連付けられたタイムスケールを有さない第２の軸５３を有する閲覧履歴表示を図示する。しかしながら、いくつかの例において第２のアクセスはタイムスケールを含み得る。このような例において、および図８に関連して、サムネイル画像５８は、日付および時間がサムネイル５８に対応するウェブページ４０が第２の軸５３の日付および時間に沿って整列してブラウズされる位置で第２の軸５３に沿って配置される。
【００３９】
[0053]  第２の軸５３のためのスクロール／スライダーバー５７に加えて、閲覧履歴表示９０はタイムスケール９２を含む。タイムスケール９２は、典型的に日付および／または時間を表示する。典型的にタイムスケール９２は、所望の通りズームインまたはアウトされることができる。タイムスケール９２がズームされるとき、第２の軸５３に沿う様々なサムネイル画像５８の配置は、対応する日付および時間で配置されたサムネイル画像５８を保持するために、ズーミングの量に比例して変更される。いくつかの例において、サムネイル画像５８のサイズは、ズーミングに影響を受けない一方で、他の例ではサムネイル画像５８のサイズはまた、ズーミングの量に比例してスケール（scale）され得る。
【００４０】
[0054]  第２の軸５３に沿って適切な日付および時間位置でサムネイル画像５８を配置するために、グループのための隣接するサムネイル画像５８間のスペーシングは変化し、グループのための異なる画像５８間で異なり得る。さらに、サムネイル画像５８は、それらの各々を適切な日付および時間に位置付けるために適切にオーバレイまたはカスケードされ得る。例えば、図８の閲覧履歴表示９０に表示されるサムネイル画像５８のセットは、図５の閲覧履歴表示６０に表示されたものと同じサムネイル画像５８のセットである。図８の閲覧履歴表示９０では、および選択されたタイムスケール９２に関して、サム６ ９４に対応するウェブページ４０は、サム５ ９５に対応するウェブページ４０の後一時間のうちのごく一部でブラウズされた一方で、サム５ ９５に対応するウェブページ４０は、サム４ ９６に対応するウェブページ４０の２時間を超えた後ブラウズされたことが理解され得る。このように、閲覧履歴表示９０は、ユーザに一目で閲覧履歴のための時間コンテンツを提供する。
【００４１】
[0055]  タイムスケール９２は、全てのグループのサムネイル画像に適応する。結果として、互いに垂直に整列された２つのサムネイル画像は、同時にブラウズされた。
【００４２】
[0056]  特定のウェブページへの閲覧経路は、シールされない第２の軸を有する閲覧履歴表示に関して図６に示されるのと同様の方式で、図８にあるようにタイムスケールされた第２の軸を有する閲覧履歴表示のために、示されることができる。タイムスケールされた第２の軸を有する履歴表示１００を考慮し、図１０を参照すると、カーソル１０２は、選択されるべきウェブページに対応する、サムネイル画像サム６ １０４を指す。サムネイル画像１０４が選択されるとき、セグメント１０６Ａ−Ｆを有する経路１０６が表示される。経路１０６は、サムネイル画像１０４に対応するウェブページに導いた閲覧経路をユーザに視覚的に描写する。セグメント１０６Ａは、グループ３のサムネイル画像サム６に対応するウェブページが、グループ３のサムネイル画像サム５に対応するウェブページからブラウズされたことを図示する。セグメント１０６Ｂは、グループ３のサムネイル画像サム５に対応するウェブページが、グループ１のサムネイル画像サム３に対応するウェブページからブラウズされたことを図示する。セグメント１０６Ｃは、グループ１のサムネイル画像サム３に対応するウェブページが、グループ１のサムネイル画像サム２に対応するウェブページからブラウズされたことを図示する。セグメント１０６Ｄは、グループ１のサムネイル画像サム２に対応するウェブページが、グループ１のサムネイル画像サム１に対応するウェブページからブラウズされたことを図示する。セグメント１０６Ｅは、グループ１のサムネイル画像サム１に対応するウェブページが、グループ２のサムネイル画像サム４に対応するウェブページからブラウズされたことを図示する。セグメント１０６Ｆは、グループ２のサムネイル画像サム４に対応するウェブページが、グループ２のサムネイル画像サム３に対応するウェブページからブラウズされたことを図示する。
【００４３】
[0057]  選択されたウェブページに到達するために取られた閲覧経路を表示することによって、グループ間の関係が図６に関連してこれまで説明されてきたものと同様の方式で理解され得る。さらに、選択されたウェブページに導く閲覧経路になかったこれらのウェブページに対応するそれらのサムネイル画像は、経路１０６から省略され、閲覧経路に含まれるサムネイル画像に関して視覚的にデエンファシスされたサムネイル画像により代替的にまたは追加的に描写され得る。さらに、閲覧経路１０６が、折りたたまれた状態で現在表示されているグループと関連付けられたウェブページを含む場合、これらのグループのウェブページ、または閲覧経路１０６のセグメントが、図７に関連してこれまで説明されてきたものと同様の方式で折りたたまれたグループに接続され得ることを示すように、閲覧経路１０６の選択は、そのようなグループの状態を展開された状態に自動的に変え得る。
【００４４】
[0058]  図４−９において、各個別のグループのためのサムネイル画像５８は、そのグループに関して直線的な方式で配置される。さらに、特定のウェブページがブラウズされる度に、さらなるサムネイル画像が閲覧履歴表示でそのウェブページに関して表示され得る。別の例示的な閲覧履歴表示を考慮し、図１０を参照すると、閲覧履歴表示１１０は、直線的な方式ではなく、各グループに関してツリー構造で配列され得る。ツリー構造の閲覧履歴表示に関して、以前ブラウズされたウェブページへのさらなるブラウジングは、さらなるサムネイル画像が表示されることを引き起こさない。むしろ、そのウェブページに関する１つのサムネイルは、ページがブラウズされた回数に関わらず表示される。そのウェブページからブラウズされた各異なるウェブページに関してウェブページのサムネイル画像からブランチが表示される。したがって、単一のグループのためのサムネイル画像の表示は、直線的よりもむしろ二次元であることができる。
【００４５】
[0059]  図１０では、グループ２が展開された状態で示され、グループのための閲覧履歴を表示するためにツリー構造を使用する。点線１１６Ａ−Ｈは、サムネイル画像に対応するウェブページがブラウズされてきたシーケンスを説明している。グループ内の最初にブラウズされたウェブページである、サム１から開始して、線１１６Ａは、サム２に対応するウェブページが次にブラウズされたことを示す。線１１６Ｂは、サム２に対応するウェブページがサム１に対応するウェブページからブラウズされたことを示す。線１１６Ｃは、サム３に対応するウェブページがサム２に対応するウェブページからブラウズされたことを示す。線１１６Ｃは、サム４に対応するウェブページがサム３に対応するウェブページからブラウズされたことを示す。
【００４６】
[0060]  いくつかの状況では、データはウェブページの入力要素、またはサム４に対応するウェブページ上のラジオおよび／またはチェックボタンの選択によって入力されることができ、その後そのような入力の効果を示すために同一のウェブページが再表示される。線１１６Ｄは、この状況を説明している。いくつかのウェブブラウザはこの状況を検出し得るが、他のものはそうでないこともある。
【００４７】
[0061]  線１１６Ｅは、サム２に対応するウェブページが、サム４に対応するウェブページからブラウズされたことを示す。これは、グループ２のための閲覧履歴におけるサム２に対応するウェブページへの第２のブラウジングである。しかしながら、 図４−９の直線的なサムネイル配置と異なり、第２のブラウジングイベントは、このウェブページのための別個の第２のサムネイル画像が、ツリー構造の閲覧履歴表示１１０で表示されることを引き起こさない。
【００４８】
[0062]  線１１６Ｆは、サム５に対応するウェブページが、サム２に対応するウェブページからブラウズされたことを示す。これは、以前に取られたものとは異なるサム２に対応するウェブページから取られた閲覧経路であるため、サム２から別のブランチが生成される。
【００４９】
[0063]  線１１６Ｇは、サム６に対応するウェブページが、サム５に対応するウェブページからブラウズされ、線１１６Ｈはサム７に対応するウェブページ（すなわち、グループ２で最も最近ブラウズされたウェブページ）がサム６に対応するウェブページからブラウズされたことを示す。
【００５０】
[0064]  様々な例において、いくつかのまたは全ての点線１１６Ａ−Ｈは、サムネイル画像が閲覧経路を示すために選択されていない状況で表示され得るかまたは表示されないことがある。いくつかにおいて、全ての点線１１６Ａ−Ｈは省略され得る。他では、点線１１６Ａ−Ｈは表示され得る。さらに他では、図１１を参照して理解されることができるように、閲覧履歴１２０’は、他の経路でなく所与のウェブページへの最初の閲覧経路を示す変更された点線のセットを含む、すなわち線１１６Ｄ−Ｅは省略される。したがって、閲覧履歴表示１２０’は、各サムネイルノードが最大でもひとつの「先祖」サムネイルノードを有し、自己参照（self-referential）でない、より古典的なツリー構造を有する。
【００５１】
[0065]  図１０−１１のツリー構造の閲覧履歴表示がシールされない第２の軸５３とともに図示されてきたが、図８で図示されているような、タイムスケールされた第２の軸を有する閲覧履歴表示も、ツリー構造の閲覧履歴表示のために実現されることが理解されるべきである。
【００５２】
[0066]  いくつかの例において、閲覧履歴表示は、ユーザが閲覧履歴を表示するためにツリー構造表示モード（例えば、図１０）、または直線的な表示モード（例えば、図４）のいずれかを選択することを可能にする、ラジオボタンといった制御を含み得る。同様に、制御は、ユーザが、点線１１６の全て、いくつか、またはなしが表示されるべきであるかどうかを特定することを可能にすることを含み得る。さらなる制御が、ユーザが第２の軸５３がシールされないまたはタイムスケールされるかどうかを特定することを可能にするために含まれ得る。
【００５３】
[0067]  特定のウェブページへの閲覧経路が、直線的な閲覧履歴表示に関して図６に図示されたものと同様の方式で、図１０−１１にあるようにツリー構造閲覧履歴表示のために表示されることができる。一例では、および図１２に関連して、閲覧経路セグメントが、選択されたウェブページに導いた各ウェブページ閲覧ステップについて表示され得る。例えば、閲覧履歴表示１３０にサムネイル画像サム５ １３４に対応するウェブページに到達するために使用される閲覧経路１３６を表示させるために、カーソル１３２がサムネイル画像サム５ １３４にわたってホバリングされ得る。そうすることは、経路セグメント１３６Ａ−Ｆが表示されることを引き起こす。経路１３６は、サム５ １３４に対応するウェブページがサム２からブラウズされた一方で、サム２からサム３へ、サム４へ、そしてサム２に戻る以前の閲覧ステップがあったことを示す。これらの先の閲覧ステップがサム５ １３４に対応するウェブページがブラウズされるときに何が表示されるかに影響を与える場合において、閲覧経路１３６の全てのセグメントを表示することが有用である。
【００５４】
[0068]  別の例では、図１３を参照すると、閲覧経路は、選択されたウェブページのツリー構造における先祖であるウェブページのための経路セグメントを含む。例えば、閲覧履歴表示１３０にサムネイル画像サム５ １４４に対応するウェブページに到達するために使用される閲覧経路１４６を表示させるために、カーソル１４２がサムネイル画像サム５ １４４にわたってホバリングされ得る。そうすることは、経路セグメント１４６Ａ−Ｂが表示されることを引き起こす。サム３およびサム４に対応するウェブページは、サム５ １４４へのブラウジングの前に以前ブラウズされたが、サム３またはサム４のいずれもサムネイル画像サム５ １４４の先祖ではない。サム３はサム５ １４４の兄弟（sibling）であるため、サム３はサム２からのサム５とは異なるブランチを表す。より複雑で無い（less cluttered）閲覧履歴表示１４０結果として、先の閲覧ステップがサム５ １４４に対応するウェブページがブラウズされるとき何が表示されるかに影響を与えない場合において、選択されたウェブページのツリー先祖のみを表示することが有用であり得る。
【００５５】
[0069]  図１３に関連して、ウェブブラウザ２２を含む装置１０のコントローラ２０（図１）のフローチャートを考慮する。代替的に、図１３のフローチャートは、コントローラ２０で実現される方法におけるステップと考えられ得る。方法２００は、ブラウザによってブラウズされる各ウェブページのための履歴情報（履歴データ）を記録することによって２１０で開始する。履歴情報は、ページのサムネイル画像およびページと関連付けられたグループを含む。２２０において、ユーザ要求に応答して、２次元閲覧履歴が表示される。表示された閲覧履歴は、第１の軸に沿って配置された１つまたはより多くのグループを有する。各グループは、そのグループに関連付けられた各ブラウズされたウェブページのサムネイル画像を、グループに隣接して、表示するために、第１の軸に直交して、第２の軸に沿って展開可能である。
【００５６】
[0070]  いくつかの例において、さらなる履歴情報が、２１５において記録され得る。このさらなる履歴情報は、ウェブブラウザによってブラウズされる所与のウェブページについて、ウェブページのＵＲＩ、ウェブページがブラウズされた日付および時間、所与のウェブページの直前にウェブブラウザによってブラウズされる先行するウェブページ、または所与のウェブページの直後にウェブブラウザによってブラウズされる後続のウェブページ、のうちの１つまたはより多くを含み得る。ここで使用される「直（directly）」という用語は、ウェブブラウザが、所与のウェブページおよび先行するまたは後続のウェブページ間の任意の中間のウェブページをブラウズしないことを特定する。
【００５７】
[0071]  閲覧履歴の表示２２０をより詳細に考慮し、図１４の下段のフローチャートを参照すると、いくつかの例において以下のオペレーションの１つまたはより多くが実行され得る。
【００５８】
[0072]  ２２５において、閲覧履歴は、ユーザ要求に際して表示される。
【００５９】
[0073]  ２３０において、各グループは、（単数または複数の）サムネイル画像を、グループに隣接して、表示するために第２の軸に沿って展開可能である。
【００６０】
[0074]  ２３５において、表示されたウェブページのうちの１つのサムネイル画像が選択され、選択に応答して、選択されたウェブサイトに導く閲覧経路が表示される。この選択は、サムネイル画像にわたってカーソルをフーバーし得る。２４０において、選択されたウェブページのサムネイル画像および少なくとも１つの先行するウェブページのサムネイル画像間の視覚的接続（閲覧経路）が表示される。先行するウェブページは、選択されたウェブページがブラウズされた前に閲覧シーケンスにおけるある時点でブラウズされたグループと関連付けられたウェブページである。２４５において、閲覧経路に含まれない閲覧履歴表示で表示された各ウェブページのサムネイル画像が、視覚的にデエンファシスされる。２５０において、経路セグメントは、閲覧経路の各ウェブページへの各別個のアクセスに含まれる。２５５において、選択されたウェブページのツリー構造における先祖以外の経路セグメントは、省略される。つまり、経路は、ウェブブラウザによってアクセスされたがツリーにおける選択されたウェブページに導かないウェブページに対応するツリー構造の他のブランチのための他のセグメントを省略する。
【００６１】
[0075]  ２６０において、閲覧履歴表示において表示されたウェブページの１つのサムネイル画像が選択され、ウェブブラウザはそのサムネイル画像に対応するウェブページをブラウズする。この選択は、サムネイル画像のダブルクリッキングであり得る。
【００６２】
[0076]  ２６５において、グループは、グループに関連付けられた最も最近ブラウズされたウェブページがブラウズされた時間の順序で第１の軸に沿って整列される。
【００６３】
[0077]  ２７０において、各グループはウェブブラウザの異なるタブまたはウィンドウに対応するように定義される。
【００６４】
[0078]  ２７５において、各グループは異なるＵＲＩトップレベルドメインに対応するように定義される。
【００６５】
[0079]  ２８０において、サムネイル画像はサムネイル画像に対応するウェブページがブラウズされた時間の順序で第２の軸に沿って整列される。
【００６６】
[0080]  ２８５において、第２の軸はタイムスケールされ、各サムネイル画像は対応するウェブページがブラウズされた時間で第２の軸に沿って位置付けられる。
【００６７】
[0081]  ２９０において、各サムネイルはウェブページの別個のアクセスに対応する。
【００６８】
[0082]  ２９５において、閲覧履歴表示におけるサムネイルのツリー構造に関して、各サムネイルはウェブページの別個のアクセスの（すなわち、ブラウズされた）数にかかわらず一度表示される。
【００６９】
[0083]  前述したことから、本開示によって提供された装置、方法、および媒体がこの分野で顕著な発展を意味することが理解されるべきである。それらはユーザに閲覧履歴のトップダウンビューを提供する。ユーザがウェブを動くときのウェブページおよびサイト間の関係は、ナビゲーションを支援する視覚的な方式でユーザに提示される。特定のウェブページに取られる閲覧経路といったこれらの関係は、ユーザが以前アクセスした特定のウェブコンテンツにユーザがより速くより容易にブラウズバックすることを有利に可能にする。ユーザは、以前ブラウズされたウェブページの特定のＵＲＬ、またはそのトップレベルドメインさえも覚えていないが、ウェブページの視覚画像を心に有し得るか、または彼らをそこに連れてきた前のウェブページを思い出し得る。
【００７０】
[0084]  いくつかの特定の例が説明および図示されてきたが、本開示は、説明および図示されたパーツの特定の方法、形態、または配置に限定されない。本説明は、ここで説明された進歩性を有し非自明な要素の組み合わせを含み、これらの要素の任意の進歩性を有し非自明な組み合わせのために特許請求の範囲がここにまたは後の出願で提示され得ることが理解されるべきである。先述の例は、例示にすぎず、どの特徴または要素も、ここにまたは後の出願で特許請求され得る全ての可能性のある組み合わせに対して必要不可欠ではない。特定されない限り、方法クレームのステップは特定される順序で実行される必要はない。同様に、図または番号（例えば、（１）、（２）等）におけるブロックは、特定の順序で進むべきステップとして解釈されるべきではない。さらなるブロック／ステップが追加され、いくつかのブロック／ステップが削除され、またはブロック／ステップの順序が変えられることができ、それでも開示された例の範囲内にある。さらに、異なる図面内で説明された方法またはステップが、他の図面における方法またはステップに加えられ、または交換され得る。さらに、特定の数字のデータ値（例えば、特定の量、数、カテゴリ等）、または他の特定の情報は、例を説明するための例示として解釈されるべきである。そのような特定の情報は、例を限定するために提供されない。本開示は、上述した実現に限定されないが、代わりに均等物のそれらの完全な範囲を考慮して添付の特許請求の範囲によって定義される。請求項がそれらの均等物の「１つの（a）」または「第１の（a first）」要素を記載する場合、そのような請求項は、２つまたはそれ以上のそのような要素を必要とするまたは除外することなく、１つまたはより多くのそのような要素の組み込みを含むことが理解されるべきである。
【図１】
2016520936.tif 000003
【図２】
2016520936.tif 000004
【図３】
2016520936.tif 000005
【図４】
2016520936.tif 000006
【図５】
2016520936.tif 000007
【図６】
2016520936.tif 000008
【図７】
2016520936.tif 000009
【図８】
2016520936.tif 000010
【図９】
2016520936.tif 000011
【図１０】
2016520936.tif 000012
【図１１】
2016520936.tif 000013
【図１２】
2016520936.tif 000014
【図１３】
2016520936.tif 000015
【図１４】
2016520936.tif 000016
【図１５】
2016520936.tif 000017
【国際調査報告】
2016520936.tif 000018
2016520936.tif 000019
2016520936.tif 000020